(57)【要約】      （修正有）【課題】面倒な作業、施工を経ることなく、屋内における住環境を良くすることができるパネルを提供する。【解決手段】パネル本体２と、パネル本体２の表面に形成されたコーティング層３を具備したパネル１であって、コーティング層は、チタンアパタイトを混ぜて製造した紙をパネル本体２の表面に貼着することでチタンアパタイトを備え、あるいは、チタンアパタイトを混ぜた塗料やチタンアパタイトのスプレーをパネル本体２の表面に塗布することでチタンアパタイトを備えたことを特徴としており、屋内の壁や天井に備えることで、チタンアパタイトの作用により、パネル本体２に付着した埃や菌、有害物質を分解除去して屋内の住環境を良くすることができるとともに、面倒な作業や専門的な技術を必要とせずに屋内の住環境を良くすることができる。【選択図】図１
0003199658.tif 000002
【実用新案登録請求の範囲】
【請求項１】
パネル本体（２）と、
該パネル本体（２）の表面に形成されたコーティング層（３）と、を具備したパネルであって、
前記コーティング層（３）は、チタンアパタイトを備えたものであることを特徴とするパネル。
【請求項２】
前記コーティング層（３）は、チタンアパタイトを混ぜて製造した紙を前記パネル本体（２）の表面に貼着することで形成したことを特徴とする請求項１に記載のパネル。
【請求項３】
前記コーティング層（３）は、チタンアパタイトを前記パネル本体（２）の表面に塗布することで形成したことを特徴とする請求項１に記載のパネル。
【考案の詳細な説明】
【技術分野】
【０００１】
本考案は屋内の壁、天井に備えられるパネルに係り、より詳しくは、表面にチタンアパタイトを備えたことを特徴とするパネルに関する。
【背景技術】
【０００２】
周知のように、建造物における壁や天井の内装は、下地に壁紙を貼着することにより行われ、これにより、下地の保護を行うが、このとき、壁紙の色や模様を好みのものにすることにより、室内の装飾を行い、室内における住環境を良くすることが行われる。
【０００３】
しかしながら、室内における住環境を良くするためには、壁紙の色や模様を好みのものに選択するのみでは不十分である。即ち、壁紙の模様により、視覚に訴える住環境の向上は可能だが、室内における住環境を良くするためには、室内における湿度の調節、消臭、殺菌が必要である。
【０００４】
そのために従来は、室内の住環境を良くするために、除湿材、消臭剤、芳香剤あるいは空気清浄機を室内に配置するとともに、更には観葉植物を置くことが行われていた。
【０００５】
しかし、このように、室内に除湿材、消臭剤、芳香剤あるいは空気清浄機を置いた場合には、その交換やメンテナンスが面倒であり、更に観葉植物を置いた場合には世話が大変であるばかりか、逆に室内が汚れてしまうという問題点も考えられる。
【０００６】
また、従来から、珪藻土、ゼオライト等の調湿建材を用いた下地材が提供されており、この調湿建材を用いて壁の下地を形成することで、室内の除湿等を行っていたが、このような調湿建材を用いて壁等の下地を形成する場合には、新築家屋の場合は別だが、それ以外の場合には、壁を施工しなおす必要があるため、施工が大掛かりになってしまうという問題点が考えられる。
【０００７】
そのため、本考案者は過去に、珪藻土と光触媒を混ぜ合わせて製造したコーティング材を壁紙本体の一方の面に塗布してコーティング層を形成した壁紙を提案している。そして、この壁紙によれば、コーティング層が室内側になる配置で、本考案の壁紙を壁、天井の下地に貼着することのみで、コーティング層を形成している珪藻土と光触媒の双方の効果を発揮することが可能である。
【０００８】
即ち、珪藻土の分解消臭効果、抗酸化作用等によって室内の除湿、消臭等を行うことが可能であるとともに、光触媒の作用によって壁紙に付着した汚れを分解することができるので、壁紙の装飾効果が落ちることも無く、室内環境を良くすることが可能である。
【０００９】
また、下地材の場合と異なり、壁の施工をし直す必要もないので、面倒な施工を行うことなく、室内における住環境を良くすることができる効果を得ることが可能となった。
【先行技術文献】
【特許文献】
【００１０】
【特許文献１】実用新案登録第３１８６１４２号公報
【特許文献２】特開２００９−０５２３７６号公報
【特許文献３】特開２００８−０３８３０７号公報
【特許文献４】特開２００６−３４８４３０号公報
【特許文献５】特開２００３−２３９１９９号公報
【特許文献６】特開２００３−００３３８２号公報
【特許文献７】特開２００３−００３３８１号公報
【特許文献８】特開２００２−１５４１７８号公報
【考案の概要】
【考案が解決しようとする課題】
【００１１】
しかしながら、前述の壁紙では、下地材の場合と異なり、壁を施工し直す必要はないが、その場合でも、室内の壁全域に壁紙を貼着しなければならないため、作業が面倒であり、更に、専門業者でなければきれいに貼ることはできないという問題点が指摘されていた。
【００１２】
そこで、本考案は、面倒な作業、施工を経ることなく、室内における住環境を良くすることができるパネルを提供することを課題としている。
【課題を解決するための手段】
【００１３】
本考案のパネルは、屋内の壁や天井に備えられるパネルであって、
パネル本体と、
該パネル本体の表面に形成されたコーティング層と、を具備したパネルであって、
前記コーティング層は、チタンアパタイトを備えたものであることを特徴としている。
【考案の効果】
【００１４】
周知のように、チタンアパタイトは、アパタイト結晶中に酸化チタンを導入したもので、有機物を確実に吸着するアパタイトの機能と、吸着した有機物を水と二酸化炭素に完全に酸化分解する酸化チタンの機能とを併せ持つ。即ち、埃、菌、有害物質、花粉などを吸着して、光エネルギーを吸収することで強い酸化分解力を持ち、吸着した汚れ、ウイルス、花粉などを水と二酸化炭素に完全に分解することが可能である。
【００１５】
従って、このチタンアパタイトを備えたコーティング層がパネル本体の表面に形成された本考案のパネルでは、屋内の壁や天井に備えることで、屋内に浮遊していた埃、菌、有害物質、花粉等がパネルに付着することで、これを確実に分解し、屋内における住環境を良くすることが可能となる。
【００１６】
また、本考案はパネルであり、これを壁や天井に係止するのみで壁や天井に備えることができるので、下地材や壁紙と異なり、壁や天井に備える際には面倒な作業や専門的な技術が不要であり、容易に屋内の住環境を良くすることが可能である。
【図面の簡単な説明】
【００１７】
【図１】本考案のパネルの実施例の断面構造を示した図である。
【図２】本考案のパネルの実施例の使用方法を説明するための図である。
【図３】本考案のパネルの実施例の使用方法を説明するための図である。
【考案を実施するための形態】
【００１８】
本考案のパネルでは、発泡スチロール、厚紙等の素材よりなるパネル本体を有しており、このパネル本体の少なくとも一方の面に、コーティング層が形成されている。
【００１９】
そして、パネル本体の表面に形成されているコーティング層は、チタンアパタイトを備えたものとしている。
【００２０】
ここで、チタンアパタイトを備えたコーティング層の形成方法は特に限定されないが、チタンアパタイトを混ぜて製造した紙を接着剤によってパネル本体の表面に貼着する方法や、チタンアパタイトを直接、パネル本体の表面に塗布する方法が考えられる。
【００２１】
そして、チタンアパタイトを混ぜて製造した紙をパネル本体の表面に貼着する場合に使用する接着剤は特に限定されず、エマルジョンタイプの水性糊、でんぷん系接着剤等、紙の貼着が可能なものであれば、いずれの接着剤でも良い。
【００２２】
また、チタンアパタイトをパネル本体の表面に直接塗布する方法も特に限定されず、チタンアパタイトの粉を水や接着剤で溶いて粘性を持たせた状態でパネル本体の表面に塗る方法や、チタンアパタイトを混ぜた塗料をパネル本体の表面に塗布する方法、あるいは、チタンアパタイトのスプレーを用いてパネル本体の表面に吹き付ける方法が考えられる。
【実施例１】
【００２３】
本考案のパネルの実施例について図面を参照して説明すると、図１は、本実施例のパネルの断面構造を示す図であり、横断平面構造を示している。そして、図において１が本実施例のパネルであり、本実施例のパネル１は、室内の壁や天井に備えられるパネルとしている。
【００２４】
そして、本実施例のパネル１は、パネル本体を有している。即ち、図において２がパネル本体であり、本実施例において前記パネル本体２は、発泡スチロール製としており、長方形状としている。但し、パネル本体の形状は必ずしも長方形状にする必要は無く、その他、正方形状、円形状、三角形状、多角形状等、いずれの形状にしても良い。また、必ずしも発泡スチロール製にする必要は無く、その他、厚紙や、木製、金属製の板によってパネル本体２を形成しても良い。
【００２５】
次に、図において３はコーティング層である。即ち、本実施例のパネル１では、前記パネル本体２の一方の面にコーティング層３を形成しており、このコーティング層３の存在により、室内等に浮遊する埃、菌、有害物質等の有機物を吸着して分解し、室内の住環境を良いものにしている。
【００２６】
ここで、前記コーティング層３について説明すると、本実施例において前記コーティング層３は、チタンアパタイトを備えたものとしている。具体的には、本実施例では、チタンアパタイトを混ぜて製造したシート状の紙を、エマルジョン系の水性糊又はでんぷん系の自然糊４によって、前記パネル本体２の表面に貼着し、これによりコーティング層３を形成している。そしてこれにより、本実施例のパネル１は、チタンアパタイトの作用により、室内等に浮遊する埃、菌、有害物質等の有機物を吸着して分解し、室内の住環境を良いものにしている。
【００２７】
即ち、周知のようにチタンアパタイトは、富士通研究所と東京大学先端科学技術研究センターの共同研究で開発されたもので、アパタイト結晶中に酸化チタンを導入して製造され、有機物を確実に吸着するアパタイトの機能と、吸着した有機物を水と二酸化炭素にまで完全に酸化分解する酸化チタンの効果を併せ持つために、このチタンアパタイトを混ぜて製造したシート状の紙を前記パネル本体２の表面に貼着してコーティング層３を形成した本実施例のパネルでは、パネル本体２に付着した埃、菌、有害物質、花粉等を確実に酸化分解することができ、従って、室内の住環境を良いものにすることができる。
【００２８】
なお、本実施例においては、チタンアパタイトの紙をパネル本体２の表面に貼着するに際しては、前記パネル本体２の表面に細かい傷を多数形成して表面を粗くし、前記糊４がパネル本体２の表面に形成した傷内に浸入するようにしており、これにより、チタンアパタイトの紙の接着性を高めている。
【００２９】
但し、必ずしも、前記パネル本体２の表面に細かい傷を多数形成する必要は無く、傷を形成することなく、パネル本体２の表面にチタンアパタイトの紙を貼着しても良い。また、チタンアパタイトの粉を混ぜて製造したシート状の紙をパネル本体２の表面に貼着するために用いられる糊は、エマルジョン系の水性糊又はでんぷん系の自然糊４には限定されず、チタンアパタイトの粉を混ぜて製造したシート状の紙をパネル本体２の表面に貼着可能であれば、いずれの糊を用いても良い。
【００３０】
なお、チタンアパタイトを混ぜた紙は既に市販されているものであるので、製造方法等の詳細な説明は省略するが、例えば、紙の原料であるパルプを製造する際に、パルプの中にチタンアパタイトの粉を混ぜる方法が考えられる。
【００３１】
また、本考案において、チタンアパタイトを備えたコーティング層３をパネル本体の表面に備える方法は、必ずしも前述の方法に限定されるものではなく、その他の方法を採用しても良い。
【００３２】
例えば、チタンアパタイトを前記パネル本体２の表面に直接塗布してコーティング層３を形成しても良い。そして、チタンアパタイトを前記パネル本体２の表面に直接塗布してコーティング層３を形成する方法としては、チタンアパタイトの粉を水や接着剤で溶いて粘性を持たせた状態にして、その後に、この粘性を持たせたチタンアパタイトを、パネル本体の表面に塗る方法が考えられる。
【００３３】
またその他、チタンアパタイトを混ぜた塗料を用いて、この塗料をパネル本体２の表面に塗布する方法、あるいは、チタンアパタイトのスプレーを用いてチタンアパタイトをパネル本体の表面に吹き付ける方法が考えられる。
【００３４】
そして、チタンアパタイトの粉を水や接着剤で溶いて粘性を持たせた状態にしてパネル本体の表面に塗る方法、チタンアパタイトを混ぜた塗料をパネル本体２の表面に塗布する方法、あるいは、チタンアパタイトのスプレーを用いてチタンアパタイトをパネル本体の表面に吹き付ける方法のいずれを用いる場合でも、前述の場合と同様に、前記パネル本体２の表面に細かい傷を多数形成して表面を粗くして、これにより、チタンアパタイトの接着性を高めても良く、あるいは、前記パネル本体２の表面に細かい傷を形成することなく、パネル本体２の表面にチタンアパタイトを塗布しても良い。
【００３５】
次に、このように構成される本実施例のパネルの作用について説明すると、本実施例のパネル１は室内の壁の一部に係止されて使用される。即ち、図２が本実施例のパネル１を室内の壁５に係止した状態を示しており、図２においては、室内の壁５に隣り合う配置で４枚のパネル１を係止している。そうすると、パネル本体２の表面に備えたコーティング層３に備えたチタンアパタイトにより、室内を浮遊してパネル１に付着した埃、菌、有害物質、花粉等が酸化分解され、それにより、室内の住環境を良いものにすることができる。
【００３６】
なお、図３は本実施例のパネル１を壁５に係止する方法を示した図であり、図において６は係止具である。即ち、図３に示す係止具６は、１〜数センチ程度の幅で係止するパネルの上下方向の寸法に対応した長さの長尺状としており、長手方向に沿った両側に、前記パネル１の端部が嵌入する嵌入溝７を有している。そして、この係止具６をネジや接着剤やテープによって壁５に固定した後に、嵌入溝７内にパネル１の端部を嵌入する。そうすると、壁５に本実施例のパネル１を係止することが可能となる。
【００３７】
従って、本実施例のパネル１では、特に面倒な作業や専門的な技術を必要とすることなく、これを壁や天井に係止することができ、容易に室内の住環境を良くすることが可能である。
【００３８】
但し、必ずしも図３に示す係止具を用いて本実施例のパネル１を壁４に係止する必要は無く、一般的にパネルや額縁を壁等に係止する場合と同様に、係止紐、チェーン等の係止部材を用いて、本実施例のパネル１を壁に吊るしても良い。
【００３９】
このように、本実施例のパネルでは、チタンアパタイトを備えたコーティング層３をパネル本体の表面に形成しているために、室内の埃、菌、有害物質、花粉等をパネルに吸着して分解することができ、室内における住環境を良くすることが可能となる。
【００４０】
また、本実施例のパネルでは、これを壁や天井に係止するのみで良いので、下地材や壁紙と異なり、面倒な作業や専門的な技術が不要であり、容易に室内の住環境を良くすることが可能である。
【００４１】
更に、パネルの色や模様を好みのものにすることにより、室内の装飾を行うことも可能である。
【００４２】
なお、チタンアパタイトを用いて室内の住環境を良くするためには、壁、天井の面積の１／３程度にチタンアパタイトを備えれば良いと言われているため、壁や天井の全てにチタンアパタイトを備える必要は無いが、下地材や壁紙を用いてチタンアパタイトを壁や天井に備えた場合は、壁や天井の全域に下地材や壁紙を備えなければならずに費用も上がってしまう。しかし、本実施例のパネルでは、下地材と異なり、壁や天井の任意の箇所にのみ係止することができるので、費用を抑えることも可能である。
【産業上の利用可能性】
【００４３】
本考案のパネルでは、チタンアパタイトを備えたコーティング層をパネル本体の表面に形成し、これにより、パネルに付着した埃や有害物質等を効果的に分解して住環境を良くすることが可能であるので、屋内に飾るパネルの全般に適用可能である。
【符号の説明】
【００４４】
１    パネル
２    パネル本体
３    コーティング層
４    糊
５    壁
６    係止具
７    嵌入溝
【図１】
0003199658.tif 000003
【図２】
0003199658.tif 000004
【図３】
0003199658.tif 000005